【事件の表示】
　特願２００３−８０５３８「壁面用目地装置」拒絶査定不服審判事件〔平成１６年１０月１４日出願公開、特開２００４−２８５７３９〕について、次のとおり審決する。
【結　論】
　本件審判の請求は、成り立たない。
【理　由】
【１】手続の経緯・本願発明
　本願は，平成１５年３月２４日の出願であって，平成１９年５月１１日付けで拒絶査定がなされ，これに対し，同年６月６日に拒絶査定に対する審判請求がなされたものであり，その請求項１に係る発明は，平成１９年３月１９日受付けの手続補正書により補正された明細書の特許請求の範囲の請求項１に記載された事項により特定される，次のとおりのものと認める。
　　　　　　
　「左右の建物間の目地部側の一方の建物の外壁面に後端部がヒンジ部材で先端部が前方へ回動可能に取付けられた一方の目地パネルと、この一方の目地パネルの背面に所定間隔で固定された、該一方の目地パネルを取付面に対しほぼ直角な位置で停止させる複数個の一方の補強板と、前記一方の目地パネルの先端部の背面に形成された鋭角の傾斜面と、前記一方の目地パネルと対応する部位の他方の建物の外壁面に後端部がヒンジ部材で、該一方の目地パネルの先端部と当接する先端部が前方へ回動可能に取付けられた他方の目地パネルと、この他方の目地パネルの背面に所定間隔で固定された、該他方の目地パネルを取付面に対してほぼ直角な位置で停止させる複数個の他方の補強板と、前記他方の目地パネルの先端部をアングル状に折り曲げて突出させるとともに、該突出部の背面に鋭角の傾斜面に形成された支持部と、この支持部の先端部の背面に一端部が取付けられ、他端部が前記一方の目地パネルの背面の一方の建物の外壁面に取付けられたワイヤーをスプリングで付勢する巻取り機構を用いた他方の付勢機構と、前記一方の目地パネルの先端部寄りの背面に一端部が取付けられ、他端部が前記他方の目地パネルの背面の他方の建物の外壁面に取付けられたワイヤーをスプリングで付勢する巻取り機構を用いた一方の付勢機構とからなることを特徴とする壁面用目地装置。」（以下，「本願発明」という。）
　　　　　
　　　　　
【２】引用刊行物及びその記載事項
　原査定の拒絶の理由に引用され，本願出願前に頒布された刊行物である，特開２００２−３６４０８４号公報（以下，「刊行物」という。）には，「壁用目地装置」に関して，次の事項が記載されている。
（１ａ）「【請求項１】目地部を介して設けられた左右の建物の目地部側の一方の壁面に目地部のほぼ半分を覆う一方の目地プレートを取付けることができるように所定間隔で先端部が外方へだけ回動可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回動可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構とを備えることを特徴とする壁用目地装置。」（【特許請求の範囲】）
（１ｂ）「【０００８】図１ないし図１２に示す本発明の第１の実施の形態において、１は目地部２を介して設けられた左右の建物３、３の目地部側の壁面３ａ、３ａ間の目地部２を目地部２が狭くなると観音開き状態で開放する本発明の壁用目地装置で、この壁用目地装置１は前記一方の壁面３ａに目地部２のほぼ半分を覆う一方の目地プレートを取付けることができるように所定間隔で先端部がわずか外方に位置する外方へだけ回転可能に取付けられたほぼ三角形状の複数個の一方の回転ブラケット４と、この複数個の一方の回転ブラケット４に複数本のビス５等によって固定的に取付けられた前記目地部のほぼ半分を覆う一方の目地プレート６と、前記複数個の一方の回転ブラケット４と対向する前記他方の壁面３ａに、該一方の回転ブラケット４の先端部を支持する支持凹部７が先端部に形成され、先端部がわずか外方に位置する外方へだけ回転可能に取付けられたほぼ三角形状の複数個の他方の回転ブラケット８と、この複数個の他方の回転ブラケット８に支持凹部７も覆うように複数本のビス５等によって固定的に取付けられた、前記目地部のほぼ半分を覆う他方の目地プレート９と、この他方の目地プレート９あるいは前記他方の回転ブラケット８の先端部、本発明の実施の形態では他方の回転ブラケット８の先端部に一端部が取付けられ、他端部が前記一方の壁面３ａにガイドリング１０を介して固定されたワイヤー１１にスプリング１２を介装した他方の目地プレート付勢機構１３と、前記一方の目地プレート６あるいは前記一方の回転ブラケット４の先端部、本発明の実施の形態では一方の回転ブラケット４の先端部に一端部が取付けられ、他端部が前記他方の壁面３ａにガイドリング１０を介して固定されたワイヤー１１にスプリング１２を介装した一方の目地プレート付勢機構１４とで構成されている。
【０００９】前記複数個の一方の回転ブラケット４は図５に示すように、直角三角形状の一方の回転ブラケット本体１５と、この一方の回転ブラケット本体１５の各辺より下方へほぼ直角に折り曲げられた補強用側面板１６、１７、１８と、前記一方の回転ブラケット本体１５の直角面部に形成した切欠部１９と、この切欠部１９内に一端部が入り込み、前記一方の回転ブラケット本体１５に枢支ピン２０で回動可能に取付けられ、直角に折り曲げられた他端部が一方の壁面３ａにビス２１等によって固定される取付け金具２２とで構成されている。
【００１０】前記一方の目地プレート６は図６に示すように、前記複数個の一方の回転ブラケット４の補強用側面板１６に複数本のビス５等によって固定される板状の一方の目地プレート本体２３と、この一方の目地プレート本体２３の先端部に鋭角に折り曲げ形成されたガイド片２４とで構成されている。
【００１１】前記複数個の他方の回転ブラケット８は図７に示すように、先端部に支持凹部７が形成された、直角三角形状の他方の移転ブラケット本体２５と、この他方の回転ブラケット本体２５の各辺より下方へほぼ直角に折り曲げられた補強用側面板２６、２７、２８と、前記他方の回転ブラケット本体２５の直角面部に形成した切欠部２９と、この切欠部２９内に一端部が入り込み、前記他方の回転ブラケット本体２５に枢支ピン２０で回動可能に取付けられ、直角に折り曲げられた他端部が他方の壁面３ａにビス２１等によって固定される取付け金具３０とで構成されている。
【００１２】前記他方の目地プレート９は図８に示すように、前記複数個の他方の回転ブラケット８の補強用側面板２６に複数本のビス５等によって固定される板状の他方の目地プレート本体３１と、この他方の目地プレート本体３１の先端部に一体形成された、前記支持凹部７に支持される支持板３２とで構成されている。」
（１ｃ）「【００１３】上記構成の壁用目地装置１は、平常時は一方の目地プレート６と他方の目地プレート９は、一方の目地プレート付勢機構１４のスプリング１２と他方の目地プレート付勢機構１３のスプリング１２との付勢力により、他方の目地プレート９の先端部の支持板３２に一方の目地プレート６の先端部が支持された状態で、図２に示すように目地部２を覆った状態を保っている。この時、一方の目地プレート６と他方の目地プレート９が取付けられている複数個の一方の回転ブラケット４と他方の回転ブラケット８は内側へ回動不能状態になっているので、外側からの押し圧力が加わっても、目地部を覆った状態をそのまま保つ。
【００１４】地震等によって目地部２が広くなるように左右の建物３、３が揺れ動いた場合には、図９に示すように一方の目地プレート６と他方の目地プレート９が閉じた状態を、一方の目地プレート付勢機構１４と他方の目地プレート付勢機構１３のスプリング１２、１２の付勢力で保った状態で離間した状態となり、その揺れ動きを吸収し、揺れ動きが停止すると、元の状態に自動的に戻る。
【００１５】地震等によって目地部２が狭くなるように左右の建物３、３が揺れ動いた場合には、図１０に示すように一方の目地プレート６の先端部と他方の目地プレート９の先端部とが押し圧されるため、一方の目地プレート６および他方の目地プレート９の先端部が一方の目地プレート付勢機構１４と他方の目地プレート付勢機構１３のスプリング１２、１２の付勢力に抗して外方へ回動してその揺れ動きを吸収するとともに、揺れ動きが停止すると、元の状態に自動的に戻る。
【００１６】地震等によって左右の建物３、３が異なる前後方向に揺れ動いた場合には、図１１に示すように一方の目地プレート６と他方の目地プレート９とが閉状態で移動したり、図１２に示すように一方の目地プレート６の先端部が他方の目地プレート９の先端部を回動して乗り越えて吸収するとともに、揺れ動きが停止すると一方の目地プレート６の先端部は他方の目地プレート付勢機構１３のワイヤー１１にガイドされて元の状態に自動的に戻る。」
（１ｄ）上記各記載事項を参照して，図１，２，５〜８の記載をみると，
　一方の目地プレート６の背面に複数個の一方の回転ブラケット４が所定間隔で固定され，該回転ブラケット４はその本体１５を直角三角形状にすることで全体的にほぼ直角三角形状であり，これにより，上記一方の目地プレート６を壁面３ａに対しほぼ直角な位置で停止させるようにしているとともに，他方の目地プレート９の背面に複数個の他方の回転ブラケット８が所定間隔で固定され，該回転ブラケット８はその本体２５を直角三角形状にすることで全体的にほぼ直角三角形状であり，これにより，上記他方の目地プレート９を壁面３ａに対しほぼ直角な位置で停止させるようにしていることは明らかであり，
　また，一方の目地プレート６（一方の目地プレート本体２３）の先端部に鋭角に折り曲げ形成されたガイド片２４が，該目地プレート６の先端部の背面に形成されているとともに，他方の目地プレート９（他方の目地プレート本体３１）の先端部に一体形成されて上記一方の目地プレート６の先端部に当接支持する支持板３２が，先端部をアングル状に折り曲げて突出させて突出部として形成されていることは明らかであり，
　さらに，他方の目地プレート付勢機構１３のワイヤー１１の一端部が，他方の目地プレート９あるいは他方の回転ブラケット８の先端部の背面に取付けられ，一方の目地プレート付勢機構１４のワイヤー１１の一端部が，一方の目地プレート６あるいは一方の回転ブラケット４の先端部から幾分離れた位置（即ち，先端部寄りの位置）の背面に取付けられていることは明らかである。
　　　　　　　
　これら（１ａ）〜（１ｄ）の記載事項及び図面（特に，図１，２，５〜１２）の記載を含む刊行物全体の記載並びに当業者の技術常識によれば，刊行物には，次の発明が記載されているものと認められる。
　「左右の建物間の目地部２側の壁面３ａ，３ａ間の目地部２のほぼ半分を覆う一方の目地プレート６と，この一方の目地プレート６の背面に所定間隔で固定され，目地部２側の一方の建物の壁面３ａに，後端部が，該壁面３ａに固定された取付け金具２２に枢支ピン２０により，一方の目地プレート６の先端部とともにその先端部が外方へ回動可能になるように取付けられるとともに，該一方の目地プレート６を壁面３ａに対しほぼ直角な位置で停止させる複数個の一方の回転ブラケット４と，前記一方の目地プレート６の先端部の背面に形成された鋭角のガイド片２４と，前記目地部２の残りの半分を覆う他方の目地プレート９と，この他方の目地プレート９の背面に所定間隔で固定され，前記一方の目地プレート６と対応する部位の他方の建物の壁面３ａに，後端部が，該壁面３ａに固定された取付け金具３０に枢支ピン２０により，一方の目地プレート６の先端部と当接する他方の目地プレート９の先端部とともにその先端部が外方へ回動可能になるように取付けられるとともに，該他方の目地プレート９を壁面３ａに対してほぼ直角な位置で停止させる複数個の他方の回転ブラケット８と，前記他方の目地プレート９の先端部をアングル状に折り曲げて突出させて突出部として形成された支持板３２と，他方の目地プレート９あるいは他方の回転ブラケット８の先端部の背面に一端部が取付けられ、他端部が前記一方の目地プレート６の背面の一方の建物の壁面３ａに取付けられたワイヤー１１にスプリング１２を介装した他方の目地プレート付勢機構１３と，一方の目地プレート６あるいは一方の回転ブラケット４の先端部寄りの背面に一端部が取付けられ、他端部が前記他方の目地プレート９の背面の他方の建物の壁面３ａに取付けられたワイヤー１１にスプリング１２を介装した一方の目地プレート付勢機構１４とからなる壁用目地装置。」（以下，「刊行物記載の発明」という。）
　　　　　
　　　　　
【３】対比・判断
１．本願発明と刊行物記載の発明との対比
　本願発明と刊行物記載の発明とを対比する。
　刊行物記載の発明の「壁面３ａ」が本願発明の「外壁面（取付面）」に相当し，以下同様に，「外方」が「前方」に，「一方の目地プレート６」が「一方の目地パネル」に，「一方の回転ブラケット４」が「一方の補強板」に，「ガイド片２４」が「傾斜面」に，「他方の目地プレート９」が「他方の目地パネル」に，「他方の回転ブラケット８」が「他方の補強板」に，「支持板３２」が「支持部」に，「ワイヤー１１」が「ワイヤー」に，「他方の目地プレート付勢機構１３」が「他方の付勢機構」に，「一方の目地プレート付勢機構１４」が「一方の付勢機構」に，「壁用目地装置」が「壁面用目地装置」に，それぞれ相当する。
　以上の相当関係を踏まえて，さらに，両者を対比すると，
　刊行物記載の発明の「壁面３ａに，後端部が，該壁面３ａに固定された取付け金具２２に枢支ピン２０により，一方の目地プレート６の先端部とともにその先端部が外方へ回動可能になるように取付けられる…一方の回転ブラケット４」，「壁面３ａに，後端部が，該壁面３ａに固定された取付け金具３０に枢支ピン２０により，一方の目地プレート６の先端部と当接する他方の目地プレート９の先端部とともにその先端部が外方へ回動可能になるように取付けられる…他方の回転ブラケット８」と，本願発明の「外壁面に後端部がヒンジ部材で先端部が前方へ回動可能に取付けられた一方の目地パネル」，「外壁面に後端部がヒンジ部材で、該一方の目地パネルの先端部と当接する先端部が前方へ回動可能に取付けられた他方の目地パネル」とが，「外壁面に回動機構で先端部が前方へ回動可能に取付けられた一方の目地パネル」，「外壁面に回動機構で，該一方の目地パネルの先端部と当接する先端部が前方へ回動可能に取付けられた他方の目地パネル」で，それぞれ共通し，
　また，刊行物記載の発明の「他方の目地プレート９あるいは他方の回転ブラケット８の先端部の背面に一端部が取付けられ…たワイヤー１１」，「一方の目地プレート６あるいは一方の回転ブラケット４の先端部寄りの背面に一端部が取付けられ…たワイヤー１１」と，本願発明の「（他方の目地パネルの）支持部の先端部の背面に一端部が取付けられ…たワイヤー」，「一方の目地パネルの先端部寄りの背面に一端部が取付けられ…たワイヤー」とが，「（他方の目地パネルの）先端部の背面側の部位に一端部が取付けられ…たワイヤー」，「一方の目地パネルの先端部寄りの背面側の部位に一端部が取付けられ…たワイヤー」で，それぞれ共通し，
　また，刊行物記載の発明の「ワイヤー１１にスプリング１２を介装した」と，本願発明の「ワイヤーをスプリングで付勢する巻取り機構を用いた」とが，「ワイヤーをスプリングで付勢する」で，共通する。
　　　　　
　してみると，両者は，
　「左右の建物間の目地部側の一方の建物の外壁面に回動機構で先端部が前方へ回動可能に取付けられた一方の目地パネルと，この一方の目地パネルの背面に所定間隔で固定された，該一方の目地パネルを取付面に対しほぼ直角な位置で停止させる複数個の一方の補強板と，前記一方の目地パネルの先端部の背面に形成された鋭角の傾斜面と，前記一方の目地パネルと対応する部位の他方の建物の外壁面に回動機構で，該一方の目地パネルの先端部と当接する先端部が前方へ回動可能に取付けられた他方の目地パネルと，この他方の目地パネルの背面に所定間隔で固定された，該他方の目地パネルを取付面に対してほぼ直角な位置で停止させる複数個の他方の補強板と，前記他方の目地パネルの先端部をアングル状に折り曲げて突出させて突出部として形成された支持部と，この他方の目地パネルの先端部の背面側の部位に一端部が取付けられ，他端部が前記一方の目地パネルの背面の一方の建物の外壁面に取付けられたワイヤーをスプリングで付勢する他方の付勢機構と，前記一方の目地パネルの先端部寄りの背面側の部位に一端部が取付けられ，他端部が前記他方の目地パネルの背面の他方の建物の外壁面に取付けられたワイヤーをスプリングで付勢する一方の付勢機構とからなる壁面用目地装置。」の点で一致し，
　次の点で相違している。
＜相違点１＞
　各目地パネルをその先端部が前方へ回動可能になるように取付ける回動機構について，本願発明では，各目地パネルの後端部を各建物の外壁面に直接取付けるヒンジ部材を用いたものであるのに対し，刊行物記載の発明では，各目地パネルを各建物の外壁面に固定された取付け金具に枢支ピンにより後端部が取付けられた各補強板（回転ブラケット）を介して該外壁面に間接的に取付けるものである点。
＜相違点２＞
　他方の目地パネルの支持部について，本願発明では，先端部をアングル状に折り曲げて突出させた突出部の背面に鋭角の傾斜面が形成されているのに対し，刊行物記載の発明では，先端部をアングル状に折り曲げて突出させて突出部として形成されているものの該突出部の背面に鋭角の傾斜面が形成されていない点。
＜相違点３＞
　各ワイヤーの一端部が取付けられる部位について，本願発明では，他方の目地パネルの支持部の先端部の背面及び一方の目地パネルの先端部寄りの背面であるのに対し，刊行物記載の発明では，他方の目地パネルの先端部の背面側の部位及び一方の目地パネルの先端部寄りの背面側の部位ではあるもののそれらの部位の具体的位置は定かでない点。
＜相違点４＞
　ワイヤーをスプリングで付勢する各付勢機構について，本願発明では，ワイヤーをスプリングで付勢する巻取り機構を用いたものであるのに対し，刊行物記載の発明では，ワイヤーにスプリングを介装したものである点。
　　　　　
２．相違点についての検討
　そこで，上記各相違点について検討する。
＜相違点１について＞
　回動機構として，ヒンジ部材を用いることは，例をあげるまでもなく周知の技術にすぎず，このような周知の技術を，刊行物記載の発明の回動機構として採用することは，当業者が適宜なしうることにすぎないところであり，しかも，本願発明においては，「（一方，他方の）目地パネル」と「（一方，他方の）補強板」とは固定されて，同じ後端部側を枢着部として一体となって回動するものであり，また，刊行物記載の発明においても，「（一方，他方の）目地プレート６，９」と「（一方，他方の）回転ブラケット４，８」とは固定されて，同じ後端部側を枢着部として一体となって回動するものであるから，回動機構を，目地パネル（目地プレート）側に設けるか，補強板（回転ブラケット）側に設けるかは，当業者が必要に応じて適宜採用する程度の設計的事項にすぎない。
　したがって，本願発明の上記相違点１に係る構成は，刊行物記載の発明及び回動機構の技術分野における周知の技術から当業者が格別の技術的困難性を要することなく容易になしえたものである。
＜相違点２について＞
　本願発明において，他方の目地パネルの支持部を，先端部をアングル状に折り曲げて突出させた突出部の背面に鋭角の傾斜面が形成されたものとして構成することの技術的意義について検討するために，本願出願当初明細書の記載をみると，段落【００１３】に，「該突出部２４の背面に鋭角の傾斜面２５に形成された支持部２６と、この支持部２６の傾斜面２５の先端部に形成されたワイヤー取付部２７とで構成されている。」と記載されているのみであり，しかも，図をみると，他方の補強板９の先端部背面形状に合わせて傾斜面２５を傾斜させたものと推認できるものであって，その他に格別の事項は見当たらないから，結局のところ，ワイヤーを取付けるための取付部分を補強板の背面形状に合わせて形成したことにあると認められる。
　そして，ワイヤーの取付けのために，突出部を補強板の背面形状に合わせて延長するなどしてその背面に鋭角の傾斜面を形成することは，当業者が必要に応じて適宜採用する程度の設計的事項にすぎないものである。
　したがって，本願発明の上記相違点２に係る構成は，刊行物記載の発明から当業者が格別の技術的困難性を要することなく容易になしえたものである。
＜相違点３について＞
　刊行物記載の発明は，他方の目地プレート付勢機構１３（他方の付勢機構）のワイヤー１１（ワイヤー）の一端部を，「他方の目地プレート９あるいは他方の回転ブラケット８の先端部の背面」に取付けたものであるから，上記ワイヤー１１の一端部の取付部位を，他方の目地プレート９（他方の目地パネル）に限定し，それの先端部に位置する支持板３２（支持部）の先端部の背面に具体化することは，当業者が容易に想到できたものであり，また，刊行物記載の発明は，一方の目地プレート付勢機構１４（一方の付勢機構）のワイヤー１１（ワイヤー）の一端部を，「一方の目地プレート６あるいは一方の回転ブラケット４の先端部寄りの背面」に取付けたものであるから，上記ワイヤー１１の一端部の取付部位を，一方の目地プレート６（一方の目地パネル）に限定し，それの先端部寄りの背面に具体化することは，当業者が容易に想到できたものである。
　したがって，本願発明の上記相違点３に係る構成は，刊行物記載の発明から当業者が格別の技術的困難性を要することなく容易になしえたものである。
＜相違点４について＞
　建物間の目地部をカバーする目地装置におけるプレートの付勢機構として，ワイヤーをスプリングで付勢する巻取り機構を用いることは，例えば，査定時に周知例として提示された，特開平１１−２８７００１号公報（図１１，１２を参照。），特開２００１−２３４５９３号公報（図４〜７，段落【００２９】を参照。）等に記載されているように，目地装置の技術分野において，従来から周知の技術といえるものであるから，このような周知の技術を，刊行物記載の発明の目地パネルの付勢機構として採用することは，当業者が容易に想到できたものである。
　したがって，本願発明の上記相違点４に係る構成は，刊行物記載の発明及び目地装置の技術分野における周知の技術から当業者が格別の技術的困難性を要することなく容易になしえたものである。
　　　　　　
３．作用効果
　そして，本願発明全体の効果も，刊行物記載の発明及び周知の技術から当業者が予測し得る範囲のものであって格別なものということができない。
　　　　　
　　　　　
【４】むすび
　以上のとおり，本願発明は，刊行物記載の発明及び周知の技術から当業者が容易に発明をすることができたものであり，特許法第２９条第２項の規定により特許を受けることができないから，本願の他の請求項に係る発明について検討するまでもなく，本願は，拒絶されるべきものである。
　よって，結論のとおり審決する。